(57)【要約】【解決手段】本発明は、防雷装置において、金属製テンションメンバー２ｂを有する光ケーブル２に接続された、オフィスビルや通信局舎１内の通信機器等の設備機器に、光ケーブル用クロージャー３を介して、光ケーブル２を導入するとともに、光ケーブル用クロージャー３内に配設された光ケーブル保持部材Ｈを構成する絶縁基板８に取り付けられた一対の金属製テンションメンバー把持金具１０に把持されている金属製テンションメンバー２ｂを、相対する金属製テンションメンバー把持金具１０の近傍で切断し除去することにより、相対する金属製テンションメンバー２ｂの端部間に、サージ電流侵入阻止距離Ｄを形成したものである。【効果】雷サージが、光ケーブルの金属製テンションメンバーに侵入した場合でも、サージ電流侵入阻止距離で絶縁されて、設備機器への雷サージの侵入が阻止されるので、設備機器を、雷サージからの損傷から保護することができる。【選択図】図６
2013070495.tif 000002
【特許請求の範囲】
【請求項１】
防雷装置において、金属製テンションメンバーを有する光ケーブルに接続された、オフィスビルや通信局舎内の通信機器等の設備機器に、光ケーブル用クロージャーを介して、光ケーブルを導入するとともに、光ケーブル用クロージャー内に配設された光ケーブル保持部材を構成する絶縁基板に取り付けられた一対の金属製テンションメンバー把持金具に把持されている金属製テンションメンバーを、相対する金属製テンションメンバー把持金具の近傍で切断し除去することにより、相対する金属製テンションメンバーの端部間に、サージ電流侵入阻止距離を形成したことを特徴とする防雷装置。
【発明の詳細な説明】
【技術分野】
【０００１】
本発明は、光ケーブルの金属製テンションメンバーから侵入する雷サージ等から、光ケーブルに接続された、オフィスビルや通信局舎内の通信機等の設備機器を保護するための防雷装置に関するものである。
【背景技術】
【０００２】
従来、光ケーブルは、需要家と通信事業者の局舎やオフィス内に設置された設備機器に接続され、光ケーブルの金属製テンションメンバーから侵入する雷サージ等から、設備機器を保護するために、局舎やオフィスにおいて、光ケーブルの金属製テンションメンバーに接地を施し、金属製テンションメンバーから侵入する雷サージ等を大地に放流して、局舎やオフィスに侵入する雷サージ等を防護して、設備機器を保護している。そして、光ケーブルの金属製テンションメンバーを接地する場合には、光ケーブルの端部（本線路に置いては、局舎やオフィスの設備機器の光ケーブルの入出口部分）部分の金属製テンションメンバーを引き留め個所で接地している。このような構成は、一例として、特許文献１に開示されている。
【先行技術文献】
【特許文献】
【０００３】
【特許文献１】特開２００３−３１９５２５号公報
【発明の概要】
【発明が解決しようとする課題】
【０００４】
上述したように、光ケーブルの金属製テンションメンバーは、金属製テンションメンバーに侵入する雷サージ等を大地に放流するように接地されており、光ケーブルからの雷サージ等を局舎やオフィスに設置された設備機器に侵入しないように構成されている。しかしながら、所定の設計以上の雷サージ等が、局舎やオフィスに設置された設備機器に侵入すると、大地電位が高電圧となり、接地を介して、この高電圧が設備機器に印加され、設備機器に損傷を与えることになる。また、長年の経時老化等で接地抵抗値が高抵抗になり、大地電位がより高電圧になり、この高電圧が設備機器に印加され、設備機器に損傷を与えるという問題があった。
【課題を解決するための手段】
【０００５】
本発明は、上述した目的を達成するために、防雷装置において、金属製テンションメンバーを有する光ケーブルに接続された、オフィスビルや通信局舎内の通信機器等の設備機器に、光ケーブル用クロージャーを介して、光ケーブルを導入するとともに、光ケーブル用クロージャー内に配設された光ケーブル保持部材を構成する絶縁基板に取り付けられた一対の金属製テンションメンバー把持金具に把持されている金属製テンションメンバーを、相対する金属製テンションメンバー把持金具の近傍で切断し除去することにより、相対する金属製テンションメンバーの端部間に、サージ電流侵入阻止距離を形成したものである。
【０００６】
本発明は、上述した構成により、以下に記載する効果を奏することができる。
【０００７】
防雷装置において、金属製テンションメンバーを有する光ケーブルに接続された、オフィスビルや通信局舎内の通信機器等の設備機器に、光ケーブル用クロージャーを介して、光ケーブルを導入するとともに、光ケーブル用クロージャー内に配設された光ケーブル保持部材を構成する絶縁基板に取り付けられた一対の金属製テンションメンバー把持金具に把持されている金属製テンションメンバーを、相対する金属製テンションメンバー把持金具の近傍で切断し除去することにより、相対する金属製テンションメンバーの端部間に、サージ電流侵入阻止距離を形成したので、雷サージが、光ケーブルの金属製テンションメンバーに侵入した場合でも、サージ電流侵入阻止距離で絶縁されて、設備機器への雷サージの侵入が阻止されるので、設備機器を、雷サージからの損傷から保護することができる。
【０００８】
また、防雷装置を、上述したように構成したので、既設（活線、使用中）の光ケーブルに対し、該光ケーブルに内蔵された光ファイバー心線を切断することなく、本発明の防雷装置を取り付けることが可能となる。従って、特に、既設の光ケーブルの雷対策を、効果的且つ効率的に行なうことが可能であり、これにより、通信局舎等に配設されている重要な通信設備機器の保護を、より一層強化することができる。
【図面の簡単な説明】
【０００９】
【図１】図１は、本発明の概要を説明するための全体構成図である。
【図２】図２は、本発明を構成する光ケーブル用クロージャーの全体斜視図である。
【図３】図３は、本発明を構成する光ケーブル用クロージャー内に配設される光ケーブル保持部材の全体斜視図である。
【図４】図４は、図３に示されている光ケーブル保持部材を構成する光ケーブル把持金具の分解斜視図である。
【図５】図５は、図３に示されている光ケーブル保持部材を構成するテンションメンバー把持金具の分解斜視図である。
【図６】図６は、図３に示されている光ケーブル保持部材に光ケーブルが取り付けられた状態の斜視図である。
【図７】図７は、図３に示されている光ケーブル保持部材が、光ケーブル保持部材の下部筒部に配設された状態の斜視図である。
【実施例】
【００１０】
以下に、本発明の実施例について説明するが、本発明の趣旨を越えない限り、何ら、本実施例に限定されるものではない。
【００１１】
図１は、本発明の実施例の概要を説明する概要構成図であり、１は、通信機器等の設備機器が設置されているオフィスビルや通信局舎であり、２は、需要家とオフィスビルや通信局舎１と接続されている光ケーブルであり、３は、光ケーブル２の架空部分２Ａ或いは大地Ｆに埋設された地中部分２Ｂに設置された光ケーブル用クロージャーである。
【００１２】
次に、図２は、一例としての公知の光ケーブル用クロージャー３の斜視図であり、光ケーブル用クロージャー３は、長手方向の分割線４に沿って、２分割された下部筒体５と上部筒体６とからなり、２分割された下部筒体５と上部筒体６とを、緊締バンド７で締め付けることにより、２分割された下部筒体５と上部筒体６とを一体化にして、光ケーブル用クロージャーが構成されることになる。
【００１３】
また、下部筒体５の両端部には、公知のように、下部周状凹部ガ形成されており、同様に、上部筒体６の両端部にも、公知のように、上部周状凹部ガ形成されており、下部筒体５と上部筒体６とが一体化された際には、光ケーブル用クロージャー３の両端部には、公知のゴム製のグロメットＧが装着されるグロメット装着凹部が形成されることになる。公知のように、光ケーブル用クロージャー３の一方の端部のグロメット装着凹部に装着されたグロメットＧに穿設された透孔ｇ１を通じて、光ケーブル２が、光ケーブル用クロージャー３内に導入され、また、光ケーブル用クロージャー３のもう一方の端部のグロメット装着凹部に装着されたグロメットＧに穿設された透孔ｇ１を通じて、光ケーブル２が、光ケーブル用クロージャー３から導出されることになる。
【００１４】
図３は、光ケーブル用クロージャー３内に配設される光ケーブル保持部材Ｈの斜視図であり、光ケーブル保持部材Ｈは、光ケーブル用クロージャー３の長手方向に沿って配置される、長尺からなる絶縁基板８と、絶縁基板８の両端に取り付けられる金属製の光ケーブル把持金具９と、光ケーブル把持金具９間に位置する絶縁基板８に取り付けられる、光ケーブル２の金属製テンションメンバーを把持する一対の金属製テンションメンバー把持金具１０とから構成されている。
【００１５】
図４は、光ケーブル把持金具９の分解斜視図であり、光ケーブル把持金具９は、略Ｚ状の台座部９ａを有しており、台座部９ａは、絶縁基板８に載置される下部水平部９ａ１と、垂直部９ａ２と、下部水平部９ａ１と平行に、垂直部９ａ２に対して、下部水平部９ａ１と反対方向に延在する上部水平部９ａ３とを有している。また、下部水平部９ａ１には、複数の螺子孔９ａ１’が形成されており、螺子孔９ａ１’には、絶縁基板８の両端に穿設されたボルト挿通孔８ａに、絶縁基板８の裏面側から挿入されるボルトＢの螺子部ｂ１が螺合されるように構成されており、このようにして、台座部９ａが、絶縁基板８に取り付けられることになる。また、上部水平部９ａ３には、複数の螺子孔９ａ３’が形成されている。
【００１６】
光ケーブル把持金具９は、平面形状が略十字状の光ケーブル把持下部台座部９ｂを有しており、光ケーブル把持下部台座部９ｂは、台座部９ａの上部水平部９ａ３に載置される短辺片９ｂ１と、短辺片９ｂ１と直交する長辺片９ｂ２とから形成されており、短辺片９ｂ１と長辺片９ｂ２とは、互いに、その中央部において直交するように構成されている。また、短辺片９ｂ１を挟んで位置する長辺片９ｂ２の一対の半分領域の略中央部には、それぞれ、下方に膨出する半円形状の上部凹部９ｂ３が形成されている。更に、長辺片９ｂ２の両端部付近には、ボルトＢの螺子部ｂ１が螺合される螺子孔９ｂ２’が形成されており、更にまた、短辺片９ｂ１の両端部付近には、ボルトＢの螺子部ｂ１が挿通される透孔９ｂ１’が穿設されている。
【００１７】
光ケーブル把持金具９は、平面形状が略Ｌ状の一対の光ケーブル把持上部９ｃを有しており、光ケーブル把持上部９ｃの長辺片９ｃ１の略中央部には、上方に膨出する半円形状の下部凹部９ｃ２が形成されている。また、長辺片９ｃ１の端部付近には、ボルトＢの螺子部ｂ１が挿通される透孔９ｃ１’が穿設されており、光ケーブル把持上部９ｃの短辺片９ｃ３の端部付近にも、ボルトＢの螺子部ｂ１が挿通される透孔９ｃ３’が穿設されている。
【００１８】
上述したように、絶縁基板８に取り付けられた台座部９ａの上部水平部９ａ３に、光ケーブル把持下部台座部９ｂの短辺片９ｂ１を載置する。また、光ケーブル把持下部台座部９ｂの長辺片９ｂ２の一方の半分領域に、一対の光ケーブル把持上部９ｃのうちの一方の光ケーブル把持上部９ｃを、光ケーブル把持上部９ｃの長辺片９ｃ１が、光ケーブル把持下部台座部９ｂの長辺片９ｂ２に載置され、また、光ケーブル把持上部９ｃの短辺片９ｃ３が、光ケーブル把持下部台座部９ｂの短辺片９ｂ１の半分の領域に載置されるように配置し、更に、光ケーブル把持下部台座部９ｂの長辺片９ｂ２のもう一方の半分領域に、一対の光ケーブル把持上部９ｃのうちのもう一方の光ケーブル把持上部９ｃを、光ケーブル把持上部９ｃの長辺片９ｃ１が、光ケーブル把持下部台座部９ｂの長辺片９ｂ２に載置され、また、光ケーブル把持上部９ｃの短辺片９ｃ３が、光ケーブル把持下部台座部９ｂの短辺片９ｂ１のもう半分の領域に載置されるように配置する。
【００１９】
その後、ボルトＢの螺子部ｂ１を、光ケーブル把持上部９ｃの長辺片９ｃ１に形成された、ボルトＢの螺子部ｂ１が挿通される透孔９ｃ１’に挿通するとともに、ボルトＢの螺子部ｂ１の先端部を、光ケーブル把持下部台座部９ｂの長辺片９ｂ２に形成された螺子孔９ｂ２’に螺合させる。また、光ケーブル把持上部９ｃの短辺片９ｃ３に形成された、ボルトＢの螺子部ｂ１が挿通される透孔９ｃ３’に挿通するとともに、ボルトＢの螺子部ｂ１の先端部を、光ケーブル把持下部台座部９ｂの短辺片９ｂ１に形成された螺子孔９ｂ１’に螺合させる。このようにして、一方の光ケーブル把持上部９ｃを、光ケーブル把持下部台座部９ｂの半分領域に取り付ける。同様にして、もう一方の光ケーブル把持上部９ｃを、光ケーブル把持下部台座部９ｂのもう一方の半分領域に取り付ける。
【００２０】
上述したように、絶縁基板８に、台座部９ａが取り付けられ、また、台座部９ａに、光ケーブル把持下部台座部９ｂが取り付けられ、更に、光ケーブル把持下部台座部９ｂに、一対の光ケーブル把持上部９ｃが取り付けられて、絶縁基板８に、光ケーブル把持金具９が取り付けられることになる。光ケーブル把持下部台座部９ｂと光ケーブル把持上部９ｃとが重ねられた際には、光ケーブル把持下部台座部９ｂに形成されている上部凹部９ｂ３と光ケーブル把持上部９ｃに形成された下部凹部９ｃ２とが重なり、図３に示されているように、光ケーブル２が挿通可能な光ケーブル挿通孔９’が形成されるように構成されている。
【００２１】
図５は、金属製テンションメンバー把持金具１０の分解斜視図であり、金属製テンションメンバー把持金具１０は、台座部１０Ａと逆Ｕ字状の金属製テンションメンバー押え部１０Ｂとを有している。
【００２２】
台座部１０Ａは、絶縁基板８の長手方向に延在するとともに、絶縁基板８に載置される下部水平部１０ａと、下部水平部１０ａの相対する長辺の一方の辺から垂直に延びる垂直部１０ｂと、垂直部１０ｂの上端から、下部水平部１０ａと同じ方向に延在する上部水平部１０ｃとから構成されており、また、下部水平部１０ａには、ボルトＢの螺子部ｂ１が挿通される複数の透孔１０ａ１が穿設されており、下部水平部１０ａに穿設された透孔１０ａ１に、ボルトＢの螺子部ｂ１を挿通し、螺子部ｂ１の先端部を、絶縁基板８に形成された螺子孔８ｂに螺合することにより、金属製テンションメンバー把持金具１０を、絶縁基板８に取り付けるように構成されている。なお、上部水平部１０ｃには、複数の螺子孔１０ｃ１が形成されている。
【００２３】
逆Ｕ字状の金属製テンションメンバー押え部１０Ｂは、水平部１０ｄと、水平部１０ｄの相対する長辺から垂設された垂直部１０ｅとを有している。また、垂直部１０ｅには、垂直部１０ｅの下端の中央部から、上方に延びる切欠き凹部１０ｅ１が形成されており、切欠き凹部１０ｅ１の上縁は、光ケーブル２に合わせて、半円形状に形成することが好ましい。更に、金属製テンションメンバー押え部１０Ｂの水平部１０ｄには、台座部１０Ａの上部水平部１０ｃに形成された螺子孔１０ｃ１に対応して、複数のボルトＢの螺子部ｂ１が挿通される透孔１０ｄ１が穿設されている。
【００２４】
台座部１０Ａの下部水平部１０ａに穿設された透孔１０ａ１に、ボルトＢの螺子部ｂ１を挿通し、螺子部ｂ１の先端部を、絶縁基板８に形成された螺子孔８ｂに螺合することにより、金属製テンションメンバー把持金具１０を、絶縁基板８に取り付け、また、台座部１０Ａの上部水平部１０ｃに、金属製テンションメンバー押え部１０Ｂの水平部１０ｄを載置し、水平部１０ｄに穿設された透孔１０ｄ１に、ボルトＢの螺子部ｂ１を挿通し、その後、ボルトＢの螺子部ｂ１を、台座部１０Ａの上部水平部１０ｃに形成された螺子孔１０ｃ１に螺合させることにより、台座部１０Ａと逆Ｕ字状の金属製テンションメンバー押え部１０Ｂとからなる金属製テンションメンバー把持金具１０が、絶縁基板８に取り付けられるように構成されている。
【００２５】
次に、図６及び図７を用いて、光ケーブル２の光ケーブル保持部材Ｈへの取り付け及び光ケーブル２が取り付けられた光ケーブル保持部材Ｈの光ケーブル用クロージャー３内への配設について説明する。
【００２６】
図６に示されているように、光ケーブル２を、絶縁基板８の両端部に配設された光ケーブル把持金具９の光ケーブル把持下部台座部９ｂと光ケーブル把持上部９ｃとを取り付けるボルトＢを外して、光ケーブル２を、光ケーブル把持下部台座部９ｂに形成された上部凹部９ｂ３の挿入し、その後、光ケーブル２を、光ケーブル把持上部９ｃに形成された下部凹部９ｃ２に挿入し、上述したように、光ケーブル把持下部台座部９ｂと光ケーブル把持上部９ｃとを、ボルトＢにより締め付けることにより、光ケーブル２を、絶縁基板８の両端部に配設された光ケーブル把持金具９に把持する。
【００２７】
次いで、絶縁基板８の両端部に配設された光ケーブル把持金具９に把持されている光ケーブル２の外被２ａを、相対する光ケーブル把持金具９の近傍において切除して、光ケーブル２の金属製テンションメンバー２ｂと光ファイバー心線２ｃとを露出させる。
【００２８】
次いで、露出した金属製テンションメンバー２ｂを、絶縁基板８の両端部に配設された光ケーブル把持金具９間に配設された相対する金属製テンションメンバー把持金具１０の台座部１０Ａを構成する上部水平部１０ｃに配置するとともに、金属製テンションメンバー２ｂが、金属製テンションメンバー押え部１０Ｂの垂直部１０ｅに形成された切欠き凹部１０ｅ１に挿入されるように配置し、その後、台座部１０Ａと金属製テンションメンバー押え部１０Ｂとを、ボルトＢにより締め付けることにより、金属製テンションメンバー２ｂを、金属製テンションメンバー把持金具１０により把持する。なお、露出された光ファイバー心線２ｃは、切断されることがなく、必要に応じて、公知のスパイラルチューブを巻き付けることにより、複数の光ファイバー心線２ｃが、束ねられるように、また、光ファイバー心線２ｃを保護するように構成されている。
【００２９】
その後、相対する金属製テンションメンバー把持金具１０により把持された金属製テンションメンバー２ｂを、相対するテンションメンバー把持金具１０の近傍で切断し除去して、相対する金属製テンションメンバー２ｂの端部間に、オフィスビルや通信局舎１に配設された通信機器等の設備機器を、雷サージの設備機器への侵入を阻止するサージ電流侵入阻止距離Ｄを形成する。このサージ電流侵入阻止距離Ｄは、例えば、１００ｍｍのサージ電流侵入阻止距離Ｄにて試験すると、１００ＫＶの電圧に耐えられることを確かめられた。従って、サージ電流侵入阻止距離Ｄを、１００ｍｍ以上とすることが好ましい。
【００３０】
上述したようにして、光ケーブル２が取り付けられた光ケーブル保持部材Ｈは、光ケーブル用クロージャー３の下部筒体５に収容されることになる。この際、先ず最初に、グロメットＧに形成された切り込み線ｇ２に沿って、グロメットＧに、光ケーブル２が挿入される間隙を形成し、光ケーブル２を、グロメットＧの透孔ｇ１に挿入するとともに、光ケーブル把持金具９が、光ケーブル保持部材Ｈの長手方向に沿って移動しないように、下部筒体５の内周面に形成された相対する光ケーブル把持金具移動抑制突部ｇ３間に挿入する。次いで、光ケーブル２が取り付けられた光ケーブル保持部材Ｈが配設された下部筒体５に、上部筒体６を被せ、図２に示されているように、緊締バンド７により、下部筒体５と上部筒体６とを緊諦することにより、２分割された下部筒体５と上部筒体６とを一体化にして、光ケーブル用クロージャー３が構成されることになる。
【００３１】
なお、光ケーブル保持部材Ｈを、下部筒体５に配設した後に、下部筒体５内で、光ケーブル２の光ケーブル把持金具９への把持や、外被２ａの除去や、露出された金属製テンションメンバー２ｂの金属製テンションメンバー把持金具１０への把持や、金属製テンションメンバー２ｂの切断等を行うように構成することもできる。
【００３２】
なお、本実施例においては、１本の光ケーブル２が、配設されている例が示されているが、２本の光ケーブル２を配設することもできる。この場合には、図３において、絶縁基板８には、もう一対の金属製テンションメンバー把持金具１０が取り付けられることになる。
【００３３】
上述したように、金属製テンションメンバー２ｂを有する光ケーブル２に接続された、オフィスビルや通信局舎１内の通信機器等の設備機器に、光ケーブル用クロージャー３を介して、光ケーブル２を導入するとともに、光ケーブル用クロージャー３内に配設された光ケーブル保持部材Ｈを構成する絶縁基板８に取り付けられた一対の金属製テンションメンバー把持金具１０に把持されている金属製テンションメンバー２ｂを、相対する金属製テンションメンバー把持金具１０の近傍で切断し除去することにより、相対する金属製テンションメンバー２ｂの端部間に、サージ電流侵入阻止距離Ｄを形成したので、雷サージが、光ケーブル２の金属製テンションメンバー２ｂに侵入した場合でも、サージ電流侵入阻止距離Ｄで絶縁されて、設備機器への雷サージの侵入が阻止されるので、設備機器を、雷サージからの損傷から保護することができる。
【００３４】
また、防雷装置を、上述したように構成したので、既設（活線、使用中）の光ケーブル２に対し、該光ケーブル２に内蔵された光ファイバー心線２ｃを切断することなく、本発明の防雷装置を取り付けることが可能となる。従って、特に、既設の光ケーブルの雷対策を、効果的且つ効率的に行なうことが可能であり、これにより、通信局舎等１に配設されている重要な通信設備機器の保護を、より一層強化することができる。
【符号の説明】
【００３５】
Ｈ・・・・・・・・光ケーブル保持部材
Ｄ・・・・・・・・サージ電流侵入阻止距離
１・・・・・・・・オフィスビルや通信局舎
２・・・・・・・・光ケーブル
２ａ・・・・・・・外被
２ｂ・・・・・・・金属製テンションメンバー
２ｃ・・・・・・・光ファイバー心線
３・・・・・・・・光ケーブル用クロージャー
５・・・・・・・・下筒体
６・・・・・・・・上筒体
８・・・・・・・・絶縁基板
９・・・・・・・・光ケーブル把持金具
１０・・・・・・・金属製テンションメンバー把持金具
【図１】
2013070495.tif 000003
【図２】
2013070495.tif 000004
【図３】
2013070495.tif 000005
【図４】
2013070495.tif 000006
【図５】
2013070495.tif 000007
【図６】
2013070495.tif 000008
【図７】
2013070495.tif 000009